(57)【特許請求の範囲】
【請求項１】
電線ボックス等の機器のケーブルの引き込み口に用いられるケーブル保持具のスリーブであって、複数のスリーブ小片を分割可能にバームクーヘン状に組み合わせてなり、前記スリーブ小片は軸方向に貫通孔が形成された側面視円錐台状であり、各スリーブ小片は端面が両方とも自己より一つ大きなスリーブ小片の貫通孔から露出し、軸方向に貫通孔まで達するスリットが形成されていることを特徴とするケーブル保持具のスリーブ。
【請求項２】
前記スリーブ小片の端面には、挿通して保持させるべきケーブルの太さが刻印されていることを特徴とする請求項１記載のケーブル保持具のスリーブ。
【請求項３】
電線ボックス等の機器のケーブルの引き込み口に用いられるケーブル保持具であって、ケーブルを通す貫通口が形成され、かつ外周面に外側雄ねじが形成された本体と、この本体の貫通口に嵌まり込むスリーブと、本体の外側雄ねじに嵌まり合う雌ねじが形成されたキャップとを具備しており、前記スリーブは、請求項１又は２記載のケーブル保持具のスリーブであることを特徴とするケーブル保持具。
【発明の詳細な説明】
【技術分野】
【０００１】
本発明は、電線ボックス等の機器のケーブルの引き込み口に用いられるケーブル保持具のスリーブと、それを用いたケーブル保持具とに関する。
【背景技術】
【０００２】
例えば、産業用ロボットや産業機械、電線ボックス等の機器のケーブルの引き込み口に用いられるケーブル保持具は、ロックナットにより機器の壁体等に装着される本体と、外周面が側面視円錐台状に加工されたゴム製のスリーブと、本体の外周面に形成された雄ねじに嵌まり合う雌ねじが形成されたキャップとから構成されている。
【０００３】
【特許文献１】特開平１０−２９４５７５号公報
【発明の開示】
【発明が解決しようとする課題】
【０００４】
しかしながら、従来のケーブル保持具は、保持すべきケーブルの太さに応じた複数種類のサイズ展開が必要となっていた。また、それに応じて機器の壁体等に形成される開口のサイズも異なるものとなっていた。
【０００５】
本発明は、上記事情に鑑みて創案されたもので、複数種類の太さのケーブルに対応可能なケーブル保持具のスリーブと、それを用いたケーブル保持具とを提供することを目的としている。
【課題を解決するための手段】
【０００６】
本発明に係るケーブル保持具のスリーブは、電線ボックス等の機器のケーブルの引き込み口に用いられるケーブル保持具のスリーブであって、複数のスリーブ小片を分割可能にバームクーヘン状に組み合わせてなり、前記スリーブ小片は軸方向に貫通孔が形成された側面視円錐台状であり、各スリーブ小片は端面が両方とも自己より一つ大きなスリーブ小片の貫通孔から露出し、軸方向に貫通孔まで達するスリットが形成されている。
また、本発明に係るケーブル保持具のスリーブのスリーブ小片の端面には、挿通して保持させるべきケーブルの太さが刻印されている。
【０００７】
本発明に係るケーブル保持具は、電線ボックス等の機器のケーブルの引き込み口に用いられるケーブル保持具であって、ケーブルを通す貫通口が形成され、かつ外周面に外側雄ねじが形成された本体と、この本体の貫通口に嵌まり込むスリーブと、本体の外側雄ねじに嵌まり合う雌ねじが形成されたキャップとを具備しており、前記スリーブは、複数のスリーブ小片を分割可能にバームクーヘン状に組み合わせてなり、前記スリーブ小片は軸方向に貫通孔が形成された側面視円錐台状であり、各スリーブ小片は端面が両方とも自己より一つ大きなスリーブ小片の貫通孔から露出し、軸方向に貫通孔まで達するスリットが形成されている。
【発明の効果】
【０００８】
本発明に係るケーブル保持具のスリーブは、電線ボックス等の機器のケーブルの引き込み口に用いられるケーブル保持具のスリーブであって、複数のスリーブ小片を分割可能にバームクーヘン状に組み合わせてなり、前記スリーブ小片は軸方向に貫通孔が形成された側面視円錐台状であり、各スリーブ小片は端面が両方とも自己より一つ大きなスリーブ小片の貫通孔から露出し、軸方向に貫通孔まで達するスリットが形成されているので、スリーブ小片を調整することで、一種類のスリーブによって太さの異なるケーブルにも対応することができる。
また、スリーブ小片が側面視円錐台状に形成されているため、ケーブル保持具の本体の貫通口に入れられてキャップで押圧されると、スリーブ自体がケーブルに向かって収縮するので、より強固にケーブルを保持することができるというメリットがある。
【０００９】
また、本発明に係るケーブル保持具のスリーブを構成するスリーブ小片の端面には、挿通して保持させるべきケーブルの太さが刻印されているので、挿通させるべきケーブルに応じてどのスリーブ小片を除くかが一目瞭然になるというメリットがある。
【００１１】
さらに、前記スリーブ小片に軸方向に貫通孔まで達するスリットを形成すると、スリーブ小片の抜き取り作業やケーブルの挿通作業時に、スリットを拡げて行うことができるので、作業性が向上する。
【図面の簡単な説明】
【００１２】
【図１】本発明の実施の形態に係るケーブル保持具のスリーブの図面であって、同図（Ａ）は概略的正面図、同図（Ｂ）は概略的一部断面図である。
【図２】本発明の実施の形態に係るケーブル保持具のスリーブの概略的分解斜視図である。
【図３】本発明の実施の形態に係るケーブル保持具の概略的一部断面図である。
【図４】本発明の実施の形態に係るケーブル保持具の使用状態を示す概略的一部断面図である。
【発明を実施するための形態】
【００１３】
まず、本発明に係るスリーブ３００が使用されるケーブル保持具１０００について、図３及び図４を参照しつつ説明する。
このケーブル保持具１０００は、電線ボックス等の機器のケーブルＣＡの引き込み口に用いられるケーブル保持具であって、ケーブルＣＡを通す貫通口１４０が形成され、かつ外周面に外側雄ねじ１２０が形成された本体１００と、この本体１００の貫通口１４０に嵌め込まるスリーブ３００と、本体１００の外側雄ねじ１２０に嵌まり合う雌ねじ２１０が形成されたキャップ２００とを備えている。
【００１４】
このケーブル保持具１０００を構成する本体１００、スリーブ３００及びキャップ２００のうち、本体１００及びキャップ２００はポリプロピレン等の樹脂成形品である。また、スリーブ３００は、ブチルゴム等の加工したものである。
【００１５】
まず、前記本体１００は、略円筒形状に形成されており、フランジ１１０が一体形成されている。この本体１００の外周面には、フランジ１１０を挟んだ両側にそれぞれキャップ２００がねじ込まれる外側雄ねじ１２０と、本体１００を機器ＫＫに取り付けるためのリング状のロックナット４００がねじ込まれる内側雄ねじ１３０とが形成されている。キャップ２００がねじ込まれる外側雄ねじ１２０の方が、ロックナット４００がねじ込まれる内側雄ねじ１３０より大径に設定されている。
また、本体１００の貫通口１４０の途中には、後述するスリーブ３００の一端面を規制するためのテーパ付き段差部１５０が形成されている。これは、前記外側雄ねじ１２０と内側雄ねじ１３０との径が異なるためでもある。
【００１６】
前記キャップ２００は、内周面に前記外側雄ねじ１２０に対応した雌ねじ２１０が形成された略円筒状に形成されている。また、このキャップ２００は、外側の開口部２２０の縁部に内向きフランジ２３０が形成されているため、外側の開口部２２０の方が内側の開口部２４０（雌ねじ２１０が形成された側の開口部）より小径に設定されている。前記内向きフランジ２３０は、本体１００に取り付けられてスリーブ３００を押圧する。
なお、このキャップ２００の外周面には、キャップ２００の着脱時の引っ掛かりとなる凹凸が形成されている。
【００１７】
また、このキャップ２００の外側の開口部２２０の内側には、捩れ防止ワッシャー２５０が嵌め込まれている。この捩れ防止ワッシャー２５０は、本体１００にねじ込んだ際、スリーブ３００の縁部に接触し、スリーブ３００とキャップ２００との間の摩擦を低減させるものである。この捩れ防止ワッシャー２５０は、スリーブ３００の縁部が接触する部分がテーパ面２５１になっている。また、この捩れ防止ワッシャー２５０がキャップ２００の開口部２２０に嵌まり込む部分には２つの爪部（図示省略）が形成されており、この爪部を開口部２２０の縁部に引っかけることによって、捩れ防止ワッシャー２５０をキャップ２００の開口部２２０の内側に回転可能に嵌め込まれている。
【００１８】
前記ロックナット４００は、内周面に前記内側雄ねじ１３０に対応した雌ねじ４１０が形成されている。機器ＫＫに開設された引き込み口ＨＫに本体１００の内側雄ねじ１３０を入れ込み、パッキン５００を介してロックナット４００を締めつけることで、本体１００を機器ＫＫに取り付けるのである。
【００１９】
このように構成されたケーブル保持具１０００に用いられるスリーブ３００は、電線ボックス等の機器ＫＫのケーブルＣＡの引き込み口ＨＫに用いられるケーブル保持具１０００のスリーブであって、７つのスリーブ小片３１０Ａ〜３１０Ｇを分割可能にバームクーヘン状に組み合わせており、前記各スリーブ小片３１０Ａ〜３１０Ｇは、軸方向に貫通孔３１１Ａ〜３１１Ｇが形成された側面視円錐台状に形成されている。
すなわち、このスリーブ３００の特徴は、従来のスリーブのように一体物ではなく、７つのスリーブ小片３１０Ａ〜３１０Ｇを組み合わせた点にある。
また、各スリーブ小片３１０Ｂ〜３１０Ｇは、図１（Ｂ）、図３や図４に示すように、端面が両方とも自己より一つ大きなスリーブ小片３１０Ａ〜３１０Ｆの貫通孔３１１Ａ〜３１１Ｆから露出しているという特徴がある。
なお、本発明に係るケーブル保持具のスリーブは、スリーブ小片が７つのものに限定されず、複数のスリーブ小片から構成されるものであることはいうまでもない。
【００２０】
なお、各スリーブ小片３１０Ａ〜３１０Ｇの端面には、挿通して保持させるべきケーブルＣＡの太さが刻印されている。例えば、スリーブ小片３１０Ａはφ２７〜３２（ｍｍ）、スリーブ小片３１０Ｂはφ２２〜２７（ｍｍ）、スリーブ小片３１０Ｃはφ１６〜２２（ｍｍ）、スリーブ小片３１０Ｄはφ１２〜１６（ｍｍ）、スリーブ小片３１０Ｅはφ８〜１２（ｍｍ）、スリーブ小片３１０Ｆはφ５〜８（ｍｍ）、スリーブ小片３１０Ｇはφ２〜５（ｍｍ）といった具合である。
なお、各スリーブ小片３１０Ａ〜３１０Ｇが保持すべきケーブルＣＡのサイズが上記に限定されるものでないことはいうまでもない。
【００２１】
最も大きいスリーブ小片３１０Ａは、本体１００の外側雄ねじ１２０側の貫通口１４０のうちのテーパ付き段差部１５０の内径の最大径部分にほぼ等しい外径に設定されている。この最も大きいスリーブ小片３１０Ａの貫通孔３１１Ａの内径は、二番目に大きなスリーブ小片３１０Ｂの外径にほぼ等しく設定されている。従って、二番目に大きなスリーブ小片３１０Ｂは、最も大きなスリーブ小片３１０Ａの貫通孔３１１Ａに嵌まり込むことができるようになっている。
このようにして、最も大きなスリーブ小片３１０Ａを除いた６つのスリーブ小片３１０Ｂ〜３１０Ｇは、自己より一つ大きなスリーブ小片３１０Ａ〜３１０Ｆの貫通孔３１１Ａ〜３１１Ｆに順次嵌まり込むことができるようになっており、全体としてバームクーヘン状に形成されている。
【００２２】
また、各スリーブ小片３１０Ａ〜３１０Ｇは、周面から軸方向に貫通孔３１１Ａ〜３１１Ｇまで達するスリット３１２Ａ〜３１２Ｇが形成されている。
このスリット３１２Ａ〜３１２Ｇが形成されているため、スリーブ小片３１０Ａ〜３１０Ｇをスリット３１２Ａ〜３１２Ｇから拡げるようにすると、より内側の小さなスリーブ小片３１０Ａ〜３１０Ｇの着脱が容易になる。
【００２３】
例えば、ここでφ２０ｍｍのケーブルＣＡをこのケーブル保持具１０００で保持する場合の手順について、図４を参照しつつ説明する。
まず、機器ＫＫに円形の引き込み口ＨＫを開設する。この引き込み口ＨＫは、挿通されるべきケーブルＣＡの太さに関わらず一定である。
引き込み口ＨＫに本体１００の内側雄ねじ１３０を挿通させ、この内側雄ねじ１３０に機器ＫＫの内側からロックナット４００をねじ込む。なお、機器ＫＫの表面側と本体１００のフランジ１１０との間にはパッキン５００を介在させておく。
【００２４】
保持すべきケーブルＣＡはφ２０ｍｍであるので、７つのスリーブ小片３１０Ａ〜３１０Ｇのうち、スリーブ小片３１０Ａ〜３１０Ｃを残して、スリーブ小片３１０Ｄ〜３１０Ｇを抜き取る。このスリーブ小片３１０Ｄ〜３１０Ｇの抜き取りの際、各スリーブ小片３１０Ａ〜３１０Ｇのスリット３１２Ｄ〜３１２Ｇを拡げることができるので抜き取り作業が容易になる。
【００２５】
残った３つのスリーブ小片３１０Ａ〜３１０Ｃからなるスリーブ３００の貫通孔、すなわちスリーブ小片３１０Ｃの貫通３１１ＣにケーブルＣＡ挿通させる。このケーブルＣＡの挿通の際にも、スリーブ小片３１０Ａ〜３１０Ｃのスリット３１２Ａ〜３１２Ｃを拡げることで挿通作業が容易になる。
なお、ケーブルＣＡは、スリーブ３００に挿通させるより先にキャップ２００の開口部２２０にも挿通させておくと作業がやりやすい。
【００２６】
スリーブ３００をケーブルＣＡごと、本体１００の貫通口１４０に外側雄ねじ１２０側から挿通させる。この際、スリーブ３００は側面視円錐台の小径側から貫通口１４０に挿通させる。
【００２７】
キャップ２００を本体１００の外側雄ねじ１２０にねじ込む。このキャップ２００のねじ込みによって、スリーブ３００は、本体１００のテーパ付き段差部１５０とキャップ２００の内向きフランジ２３０との間に挟み込まれた状態で内側に向かって押圧されるので、スリーブ３００はケーブルＣＡを強固に保持する。
なお、キャップ２００をねじ込む際、キャップ２００の内向きフランジ２３０とスリーブ３００との間に捩れ防止ワッシャー２５０が介在されるので、スリーブ３００とキャップ２００との間の摩擦が低減される。
【００２８】
このように、このスリーブ３００は７つのスリーブ小片３１０Ａ〜３１０Ｇから構成されているので、各スリーズ小片３１０Ａ〜３１０Ｇの抜き差しで調整すれば、保持させるべきケーブルＣＡの太さに対応させることができる。なお、保持させるべきケーブルＣＡは１本だけでなく、複数本のケーブルＣＡを纏めて保持することも可能である。
【００２９】
従来のこの種のケーブル保持具であれば、保持させるべきケーブルＣＡの太さに応じたものを選択する必要があったが、本発明の実施の形態に係るケーブル保持具１０００であればスリーブ３００のスリーブ小片３１０Ａ〜３１０Ｇを調整することで、一種類のスリーブ３００によって太さの異なるケーブルＣＡにも対応することができるというメリットがある。
また、従来のこの種のケーブル保持具であれば、保持させるべきケーブルＣＡの太さに応じて本体、キャップやスリーブ等のサイズを選択していたので、ケーブルＣＡの太さに応じて機器ＫＫに開設される引き込み口ＨＫも異なっていたが、本発明の実施の形態に係るケーブル保持具１０００であれば、ケーブルＣＡの太さが違っても本体１００等のサイズは同じなので、引き込み口ＨＫのサイズを変更する必要がない。すなわち、引き込み口ＨＫの開設作業時にケーブル保持具１０００のサイズを確認するという作業が不要になるので作業性が向上する。
【００３２】
また、上述した実施の形態では、本体１００にはフランジ１１０を挟んで外側雄ねじ１２０と内側雄ねじ１３０とが形成されているとしたが、本体１００を機器ＫＫに固定する手段としては内側雄ねじ１３０及びロックナット１４０に限定されるものではない。例えば、内側雄ねじ１３０が形成されるべき周面に外側から複数本のボルトをねじ込む等の他の手段を用いてもよいことはいうまでもない。
【符号の説明】
【００３３】
１０００  ケーブル保持具
１００    本体
２００    キャップ
２５０    捩れ防止ワッシャー
３００    スリーブ
３１０Ａ〜３１０Ｇ  スリーブ小片
３１１Ａ〜３１１Ｇ  貫通孔
３１２Ａ〜３１２Ｇ  スリット
【要約】
【課題】  ケーブル保持具に用いられるスリーブを複数種類の太さのケーブルに対応可能とする。
【解決手段】  電線ボックス等の機器ＫＫのケーブルＣＡの引き込み口ＨＫに用いられるケーブル保持具１０００のスリーブであって、７つのスリーブ小片３１０Ａ〜３１０Ｇを分割可能にバームクーヘン状に組み合わせており、前記各スリーブ小片３１０Ａ〜３１０Ｇは、軸方向に貫通孔３１１Ａ〜３１１Ｇが形成された側面視円錐台状に形成されており、周面から軸方向に貫通孔３１１Ａ〜３１１Ｇまで達するスリット３１２Ａ〜３１２Ｇが形成されている。
【選択図】      図１【図１】
0005890927.tif 000002
【図２】
0005890927.tif 000003
【図３】
0005890927.tif 000004
【図４】
0005890927.tif 000005